(57)【要約】      （修正有）【課題】遊技機と台間カード処理機とを柱状の配線ケーブルを用いた通信接続ケーブルで接続する場合であっても、台間カード処理機の構成に影響を与えず、台間カード処理機の奥行き方向の幅の増大を抑えることができる通信接続ケーブルを提供する。【解決手段】遊技媒体を用いた遊技を行う遊技機と、遊技機に併設され、遊技媒体に係る処理を行う台間カード処理機とを通信接続する通信接続ケーブル１であって、コネクタ２は、配線ケーブル４の端部から延びる複数の配線と複数の接続ピンとの接続部を樹脂でモールドする樹脂モールド部２４を有し、樹脂モールド部は、コネクタの接続方向Ｃ２の中心軸ＣＬ２に沿って延びる延在部２４ｃと、延在部の側面に立設する立設部２４ａとを有し、配線ケーブルの接続端部４ａは、接続端部の中心軸ＣＬ１がコネクタの接続方向の中心軸に対して直交するように立設部の側面から接続される。【選択図】図５
0003226096.tif 000002
【実用新案登録請求の範囲】
【請求項１】
遊技媒体を用いた遊技を行う遊技機と前記遊技機に併設され、前記遊技媒体に係る処理を行う台間カード処理機とを通信接続する通信接続ケーブルであって、
前記台間カード処理機の背面に配置されて被接続方向が背面方向であるコネクタに接続する台間カード処理機側コネクタと、
前記遊技機のコネクタに接続される遊技機側コネクタと、
前記台間カード処理機側コネクタと前記遊技機側コネクタとの間を接続する配線ケーブルと
を備え、
前記台間カード処理機側コネクタは、前記配線ケーブルの端部から延びる複数の配線と複数の接続ピンとの接続部を樹脂でモールドする樹脂モールド部を有し、
前記樹脂モールド部は、前記台間カード処理機側コネクタの接続方向の中心軸に沿って延びる延在部と、前記延在部の側面に立設する立設部とを有し、
前記配線ケーブルの接続端部は、前記接続端部の中心軸が前記台間カード処理機側コネクタの接続方向の中心軸に対して直交するように前記立設部の側面から接続される通信接続ケーブル。
【請求項２】
前記樹脂モールド部の立設部は、前記延在部の側面に対する段差部又は切欠部を形成し、前記配線ケーブルの接続端部は、前記段差部又は前記切欠部に引き込まれて前記立設部の側面に接続される請求項１に記載の通信接続ケーブル。
【請求項３】
前記配線ケーブルの接続端部には、前記配線ケーブルを保護するブッシュが外挿される請求項１又は２に記載の通信接続ケーブル。
【考案の詳細な説明】
【技術分野】
【０００１】
本考案は、遊技機と台間カード処理機とを柱状の配線ケーブルを用いた通信接続ケーブルで接続する場合であっても、台間カード処理機の構成に影響を与えず、台間カード処理機の奥行き方向の幅の増大を抑えることができる通信接続ケーブルに関する。
【背景技術】
【０００２】
封入循環式のパチンコ遊技機の所定側の側方位置には、遊技用装置の一例であるカードユニットが１対１に対応で設置されている（特許文献１）。このカードユニットは、会員登録をしていない一般の遊技者に対して発行されるビジターカードや、該遊技場に会員登録した会員遊技者に対して発行される会員カードを受付け可能で、それらカードの記録情報により特定される遊技者所有の遊技価値（たとえばカード残高、持玉数、あるいは貯玉数等）を用いて対応するパチンコ遊技機における封入玉を弾発発射させて遊技ができる。そのため、パチンコ遊技機とカードユニットとの間で、遊技価値を含むデータを通信する必要がある。
【０００３】
パチンコ遊技機とカードユニットとの間で通信を行うために、カードユニットにはパチンコ遊技機側への接続部が設けられており、パチンコ遊技機にはカードユニット側への接続部が設けられている。これら接続部は、たとえばコネクタ等で構成されており、当該コネクタ間を通信ケーブルで接続することで、パチンコ遊技機とカードユニットとが通信可能となる。
【０００４】
ところで、パチンコ遊技機とカードユニットとの間で遊技価値を含むデータを通信することで、パチンコ遊技機での遊技が可能になる。パチンコ遊技機において、約０．６秒の打球発射時間間隔で遊技を継続的に行うためには、パチンコ遊技機とカードユニットとの間でデータを高速に通信する必要がある。また、パチンコ遊技機とカードユニットとの間で通信されるデータは遊技価値を含むため、高い通信精度が求められる。しかし、高速でデータを通信するとノイズの影響を受けやすくなり、パチンコ遊技機とカードユニットとの間での通信において通信精度が低下するおそれがある。
【０００５】
そこで、特許文献２では、通信へのノイズの影響を低減する１つの対応として、円筒状の編組線であるシールド線を設けた配線ケーブルを用いている。
【先行技術文献】
【特許文献】
【０００６】
【特許文献１】特開２０１２−１００７６６号広報
【特許文献２】特開２０１６−５９４７２号広報
【考案の概要】
【考案が解決しようとする課題】
【０００７】
ところで、一般にカードユニット（台間カード処理機）は、横方向の幅が薄く、通信ケーブルのコネクタを接続する背面のコネクタは、後方に向けて取り付けられている。このような背面のコネクタであっても、従来の配線ケーブルは、フラットケーブルであったため、台間カード処理機の奥行き方向の幅は、ほとんど増大しなかった。
【０００８】
ここで、特許文献２に開示された通信ケーブルのコネクタと配線ケーブルとの接続は、いわゆるストレートタイプであり、コネクタの接続方向の中心軸と配線ケーブルのコネクタ側の中心軸との各方向は一致している。
【０００９】
したがって、特許文献２に開示された通信ケーブルは、コネクタの接続方向の中心軸と配線ケーブルのコネクタ側の中心軸との各方向が一致する、いわゆるストレートタイプの通信ケーブルであるとともに、筒状の編組線であるシールド線を設けられ、さらに外側にシースを設けた柱状の配線ケーブルであるため、この通信ケーブルを背面のコネクタに接続すると、台間カード処理機の奥行き方向の幅は、配線ケーブルが台間カード処理機の後方に張り出すことになる。一方、台間カード処理機の奥行き方向の幅は、遊技機の奥行き方向の幅よりも大きい。この結果、ストレートタイプの通信ケーブルを台間カード処理機に用いると、遊技機と台間カード処理機とが複数配列された島の奥行きの幅が大きくなってしまい、遊技店内に配置される遊技機のスペースを確保できなくなってしまうという課題があった。
【００１０】
本考案は、上記従来技術の課題を解決するためになされたものであって、遊技機と台間カード処理機とを柱状の配線ケーブルを用いた通信接続ケーブルで接続する場合であっても、台間カード処理機の構成に影響を与えず、台間カード処理機の奥行き方向の幅の増大を抑えることができる通信接続ケーブルを提供することを目的とする。
【課題を解決するための手段】
【００１１】
上記の課題を解決するため、本考案は、遊技媒体を用いた遊技を行う遊技機と前記遊技機に併設され、前記遊技媒体に係る処理を行う台間カード処理機とを通信接続する通信接続ケーブルであって、前記台間カード処理機の背面に配置されて被接続方向が背面方向であるコネクタに接続する台間カード処理機側コネクタと、前記遊技機のコネクタに接続される遊技機側コネクタと、前記台間カード処理機側コネクタと前記遊技機側コネクタとの間を接続する配線ケーブルとを備え、前記台間カード処理機側コネクタは、前記配線ケーブルの端部から延びる複数の配線と複数の接続ピンとの接続部を樹脂でモールドする樹脂モールド部を有し、前記樹脂モールド部は、前記台間カード処理機側コネクタの接続方向の中心軸に沿って延びる延在部と、前記延在部の側面に立設する立設部とを有し、前記配線ケーブルの接続端部は、前記接続端部の中心軸が前記台間カード処理機側コネクタの接続方向の中心軸に対して直交するように前記立設部の側面から接続される。
【００１２】
また、本考案は、上記の考案において、前記樹脂モールド部の立設部は、前記延在部の側面に対する段差部又は切欠部を形成し、前記配線ケーブルの接続端部は、前記段差部又は前記切欠部に引き込まれて前記立設部の側面に接続されるようにしてもよい。
【００１３】
また、本考案は、上記の考案において、前記配線ケーブルの接続端部には、前記配線ケーブルを保護するブッシュが外挿されるようにしてもよい。
【考案の効果】
【００１４】
本考案によれば、遊技機と台間カード処理機とを柱状の配線ケーブルを用いた通信接続ケーブルで接続する場合であっても、台間カード処理機の構成に影響を与えず、台間カード処理機の奥行き方向の幅の増大を抑えることができる。
【図面の簡単な説明】
【００１５】
【図１】図１は、本実施例に係る通信接続ケーブルが用いられる台間カード処理機及び遊技機の外観を示す図である。
【図２】図２は、台間カード処理機を左斜め背面からみた斜視図である。
【図３】図３は、台間カード処理機を右斜め背面からみた斜視図である。
【図４】図４は、コネクタの接触部を下方に向けた状態の通信接続ケーブルの斜視図である。
【図５】図５は、コネクタの接触部を手前に向けた状態の通信接続ケーブルの斜視図である。
【考案を実施するための形態】
【００１６】
以下に、添付図面を参照して、本考案に係る通信接続ケーブルの好適な実施例を詳細に説明する。
【００１７】
＜通信接続ケーブルの配置概要＞
図１は、本実施例に係る通信接続ケーブル１が用いられる台間カード処理機１０及び遊技機３０の外観を示す図である。図１に示すように、通信接続ケーブル１は、台間カード処理機１０と遊技機３０との間を通信接続する。遊技機３０は、遊技店に複数設定され、各遊技機３０には、それぞれ台間カード処理機１０が併設される。遊技機３０は、遊技玉が遊技機３０内部で循環する封入式の管理遊技機である。遊技機３０は、遊技玉を遊技盤面に打ち込んで遊技を行う装置である。台間カード処理機１０は、遊技客の操作に基づいて、遊技玉の貸出処理、持玉や貯玉の再プレイ処理などを行う。また、台間カード処理機１０は、入金を受け付けた場合には、遊技玉の貸出処理に使用可能な有価価値であるプリペイド価値の加算を行う。そして、遊技客が遊技を終了する際に、遊技機に設けられた返却ボタンを操作すると、台間カード処理機１０は、持玉数やプリペイド価値を関連付けたカードを排出する。
【００１８】
通信接続ケーブル１は、柱状の配線ケーブル４の一端に、台間カード処理機側コネクタであるコネクタ２が接続され、他端には、遊技機側コネクタであるコネクタ３が接続される。コネクタ２は、台間カード処理機１０の背面に設置されたコネクタ１１に接続される。また、コネクタ３は、遊技機３０に設置されたコネクタ３１に接続される。
【００１９】
コネクタ１１は、台間カード処理機１０内の図示しないセキュリティ基板（ＳＣ基板）に接続される。セキュリティ基板は各部の異常発生を検知する。また、セキュリティ基板は、台間カード処理機１０を全体制御する制御部に接続される。一方、コネクタ３１は、遊技機３０内の図示しない払出制御基板に接続される。払出制御基板は、遊技玉の払出管理を行う。したがって、遊技機３０内の払出制御基板と台間カード処理機１０内のセキュリティ基板とが通信接続ケーブル１を介して接続されると、台間カード処理機１０は、遊技機３０のセキュリティ基板に対してセキュリティを確保しながら通信を行うことができる。セキュリティ基板から払出制御基板には、各種コマンドが送信され、払出制御基板からセキュリティ基板には、各種レスポンスが送信される。
【００２０】
図２は、台間カード処理機１０を左斜め背面からみた斜視図である。また、図３は、台間カード処理機１０を右斜め背面からみた斜視図である。図２及び図３に示すように、コネクタ２は、台間カード処理機１０の背面に設置されたコネクタ１１に接続された場合、コネクタ２の樹脂モールド部２４を介して配線ケーブル４が下方（−Ｚ方向）に向けて延びる。配線ケーブル４は、台間カード処理機１０の遊技機３０側の側面に設けた保持部４０を介して遊技機３０側に接続される。保持部４０は、配線ケーブル４の余長整理に用いられる。なお、配線ケーブル４の接続端部には、配線ケーブル４を保護するブッシュ２５が配線ケーブル４に外挿される。
【００２１】
＜通信接続ケーブルの詳細構成＞
次に、通信接続ケーブル１の詳細構成について説明する。図４は、コネクタ２の接触部２２を下方に向けた状態の通信接続ケーブル１の斜視図である。また、図５は、コネクタ２の接触部２２を手前に向けた状態の通信接続ケーブル１の斜視図である。
【００２２】
図４及び図５に示すように、コネクタ２は、ライトアングルタイプのコネクタであるが、コネクタ２の接続方向の中心軸ＣＬ２の方向（±Ｙ方向）Ｃ２と、配線ケーブル４の台間カード処理機１０側の中心軸ＣＬ１の方向（±Ｚ方向）Ｃ１とが異なるように、例えば直交して配線ケーブル４が接続される。一方、コネクタ３は、ストレートタイプのコネクタであり、コネクタ３の接続方向の中心軸と、配線ケーブル４の遊技機３０側の中心軸とが一致するように配線ケーブル４が接続される。
【００２３】
コネクタ２は、コネクタ１１に篏合する接続ピン２３を有する接触部２２がプレート２１に立設される。コネクタ２，３は、Ｄ−ｓｕｂの９ピンコネクタである。したがって、配線ケーブル４内には少なくとも９本の配線を有する。配線ケーブル４は、９本の配線の外周に、筒状の編組線であるシールド線が設けられ、さらに外側にシースを設けた柱状の配線ケーブルである。
【００２４】
配線ケーブル４のコネクタ２への接続端部４ａは、ブッシュ２５が外挿され、樹脂モールド部２４に接続される。配線ケーブル４内の配線は、樹脂モールド部２４内において９本のバラ配線となり、各バラ配線は、各接続ピン２３に接続される。樹脂モールド部２４は、樹脂でパラ配線をモールドして保護する。
【００２５】
樹脂モールド部２４は、接触部２２の接続方向Ｃ２の中心軸ＣＬ２に沿ってプレート２１から延びる延在部２４ｃと、延在部２４ｃの側面に立設する立設部２４ａとを有する。立設部２４ａは、延在部２４ｃに対し、Ｘ方向に立設する。配線ケーブル４の接続端部４ａは、立設部２４ａの側面に接続される。接続端部４ａは、−Ｚ方向から引き込まれ、中心軸ＣＬ１が中心軸ＣＬ２に対して直交して交差するように、立設部２４ａに接続される。
【００２６】
立設部２４ａは、延在部２４ｃに対して段差部２４ｂを形成する。立設部２４ａの側面は、段差面であり、この段差面に接続端部４ａが接続される。この段差面は、延在部２４ｃの側面の中央部、すなわち中心軸ＣＬ２の近傍に形成される。段差部２４ｂには、配線テーブル４の接続端部４ａが引き込まれて配置される。これにより、配線ケーブル４は、台間カード処理機１０の背面方向（−Ｘ方向）への張り出しが抑えられる。また、コネクタ２は、立設部２４ｂがＹ方向に近づいて設置されるため、コネクタ２の奥行き方向（Ｙ方向）の幅が狭まって、この点からも、台間カード処理機１０の背面方向（−Ｘ方向）への張り出しを抑えることができる。さらに、配線ケーブル４は、段差部２４ｂに引き込まれ、接続端部４ａがコネクタ２から−Ｚ方向に張り出すことを抑えることができる。なお、段差部２４ｂに替えて、−Ｚ方向に延びる切欠部としてもよい。
【００２７】
なお、コネクタ２は、配線ケーブル４の方向ＣＬ１と方向ＣＬ２とを直交させていたが、これに限らず、配線ケーブル４の方向ＣＬ１をＸ−Ｚ面で方向Ａ２に傾けて配置してもよいし、配線ケーブルの方向ＣＬ１を方向ＣＬ２に対してＹ−Ｚ面で方向Ａ１に傾けてもよい。
【００２８】
本実施例では、台間カード処理機１０側のコネクタ２がライトアングルタイプのコネクタとしているので、台間カード処理機１０の構成に影響を与えず、台間カード処理機１０の奥行き方向の幅の増大を抑えることができる。また、コネクタ２は、立設部２４ａがＹ方向に近づいて設置されるため、Ｙ方向のコネクタ形状を小さくすることができ、台間カード処理機１０の奥行き方向の幅の増大を抑えることができる。この結果、ストレートタイプの通信ケーブルを台間カード処理機１０に用いた場合に比べて、遊技機３０と台間カード処理機１０とが複数配列された島の奥行きの幅が大きくならず、遊技店内に配置される遊技機のスペースを増大させずに確保することができる。
【００２９】
また、本実施例では、段差部２４ｂを設け、配線ケーブル４の接続端部４ａを段差部２４ｂに引き込んで収納しているので、コネクタ２から下向き（−Ｚ方向）への張り出しも抑えることができ、コネクタ２に対する外部衝撃があっても接続端部４ａを保護することができる。
【００３０】
なお、上記の実施例では、コネクタ２のみをライトアングルタイプのコネクタとしたが、必要に応じて、コネクタ３をライトアングルタイプのコネクタとしてもよい。通常、遊技機３０の奥行き方向の幅は、台間カード処理機の奥行き方向の幅よりも小さいため、コネクタ３は、ストレートタイプのコネクタであってもよい。
【００３１】
また、上記の実施例では、遊技機３０を管理遊技機として説明したが、管理スロットマシンにも実施例の通信接続ケーブルを適用することができる。さらに、遊技玉が外部から供給され、外部に排出し、台間カード処理機が遊技玉を計数する通常の封入式でない遊技機にも実施例の通信接続ケーブルを適用することができる。また、コネクタ２，３の形式、接続ピン数などが異なっていてもよい。
【００３２】
なお、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００３３】
本考案に係る通信接続ケーブルは、遊技機と台間カード処理機とを柱状の配線ケーブルを用いた通信接続ケーブルで接続する場合であっても、台間カード処理機の構成に影響を与えず、台間カード処理機の奥行き方向の幅の増大を抑える場合に有用である。
【符号の説明】
【００３４】
１  通信接続ケーブル
２，３，１１，３１  コネクタ
４  配線ケーブル
４ａ  接続端部
１０  台間カード処理機
２１  プレート
２２  接触部
２３  接続ピン
２４  樹脂モールド部
２４ａ  立設部
２４ｂ  段差部
２４ｃ  延在部
２５  ブッシュ
３０  遊技機
４０  保持部
Ａ１，Ａ２，Ｃ１，Ｃ２  方向
ＣＬ１，ＣＬ２  中心軸
【図１】
0003226096.tif 000003
【図２】
0003226096.tif 000004
【図３】
0003226096.tif 000005
【図４】
0003226096.tif 000006
【図５】
0003226096.tif 000007